(57)【要約】 【課題】  操作装置が折り畳まれている状態でも操作可能な電子機器を提供することである。【解決手段】  ナビゲーションシステム１は、制御回路３６が設けられるナビ本体３を有し、操作装置２がそのナビ本体３に角変位可能に設けられている。操作装置２は、操作装置筐体２１のＸ１方向一表面部２１ａがナビ本体３に臨む閉状態に変位可能であり、その一表面部２１ａにロータリ操作手段２３が形成されている。ロータリ操作手段２３は、Ｘ１方向平面視で、前記一表面部２１ａから外方に向かって突出するように形成されている。ロータリ操作手段２３は、操作されると制御回路３６に電気信号を伝送する。【選択図】      図１
2007302229.tif 000002
【特許請求の範囲】
【請求項１】
電子回路を備える電子機器本体と、電子機器本体に相対変位可能に設けられる操作装置であって、操作されると前記電子回路に電気信号を伝送する操作手段と、その操作手段が一表面部に設けられる筐体とを含む操作装置とを有する電子機器において、
操作装置は、筐体の一表面部が電子機器本体に臨む収容位置に変位可能であり、
操作手段の一部は、筐体の一表面部に垂直な方向に見た平面視において、一表面部から外方に向かって突出していることを特徴とする電子機器。
【請求項２】
電子回路を備える電子機器本体と、電子機器本体に対して折り畳み可能に電子機器本体に設けられる操作装置であって、軸線まわりに角変位されることによって電子回路に電気信号を伝送する操作手段と、操作手段が一表面部に設けられる筐体とを含む操作装置とを有する電子機器において、
操作装置は、筐体の一表面部が折り畳まれている状態で電子機器本体に臨み、
操作手段の一部は、筐体の一表面部に垂直な方向に見た平面視において、一表面部から外方に向かって突出していることを特徴とする電子機器。
【請求項３】
操作装置が折り畳まれている状態か、広げられている状態かを判定する判定手段をさらに含み、
操作装置は、電子機器に対して角変位させることによって、折り畳み可能に設けられ、
電子回路は、伝送される電気信号に基づいて、第１の制御を行う第１制御状態と第２の制御を行う第２制御状態とを切替可能な制御回路を含み、
操作手段は、
軸線が筐体の一表面部に対して垂直に形成され、
制御回路は、
判定手段が広げられている状態と判定する状態で、軸線まわり一方向に操作手段を角変位させると、第１制御状態に切替わり、軸線まわり他方向に操作手段を角変位させると、第２制御状態に切替わり、
判定手段が折り畳まれている状態と判定する状態で、軸線まわり一方向に操作手段を角変位させると、第１制御状態に切替わり、軸線まわり他方向に角変位させると、第２制御状態に切替わることを特徴とする請求項２に記載の電子機器。
【請求項４】
操作装置を角変位可能な駆動手段をさらに有し、
判定手段は、駆動手段の角変位量を検出し判定することを特徴とする請求項３に記載の電子機器。
【請求項５】
操作手段は、突出する方向と反対の方向に押圧可能に形成され、押圧されると電子回路に電気信号を伝送することを特徴とする請求項２〜４のうちいずれか１つに記載の電子機器。
【請求項６】
電子機器本体と、
前記電子機器本体に変位可能に取付けられる操作装置と、を備え、
前記操作装置は、前記操作装置の一表面部が前記電子機器本体に臨む閉状態、および前記操作装置の一表面部が露出する開状態で操作可能な操作手段を備えることを特徴とする電子機器。
【請求項７】
前記操作手段は、前記操作装置の一表面部側に設けられ、
前記操作手段の一部は、前記一表面部から突出していることを特徴とする請求項６記載の電子機器。
【請求項８】
前記操作手段は、前記操作装置の一表面部側に設けられる第１操作手段と、前記操作装置の一表面部と反対側の他表面部側に設けられる第２操作手段と、を備えることを特徴とする請求項６記載の電子機器。
【請求項９】
前記操作装置が閉状態にあるとき、前記第２操作手段は、前記他表面部から突出し、前記操作装置が開状態にあるとき、前記第１操作手段は、前記一表面部から突出することを特徴とする請求項８記載の電子機器。
【発明の詳細な説明】
【技術分野】
【０００１】
本発明は、電子回路に電気信号を伝送可能な操作手段が設けられている電子機器に関する。
【背景技術】
【０００２】
従来の第１の技術の車載用電子機器は、表示部を有するパネルと、操作手段を有する操作装置と、パネルおよび操作装置が設けられる筐体とが含まれる。パネルは、筐体に対して角変位可能に設けられている。具体的には、パネルは、パネルの表示部が運転手などに視認可能な起立状態と、操作装置の操作手段がパネルによって覆われる折り畳み状態とにわたって角変位することができる（たとえば特許文献１参照）。
【０００３】
従来の第２の技術のナビゲーションシステムは、液晶などによって構成される表示手段と、操作手段を有する操作装置と、表示手段と操作手段とが設けられる筐体とが含まれる。ナビゲーションシステムは、たとえば車のインストルメントパネルに、表示手段が運転者および同乗者が視認できるように配設されている。操作装置は、表示手段に対して角変位可能に筐体に設けられている。操作装置は、具体的には、筐体の下端部に、水平方向に延びる軸線まわりに角変位可能に設けられ、表示手段に対して折り畳み可能に設けられている。操作手段は、折り畳まれている状態で、表示手段に対向し、広げられた状態で露出している。ナビゲーションシステムは、筐体と操作手段とを別々にすることによって、表示手段を大きくすることができる。
【０００４】
【特許文献１】特開２００２−１６６７９０号公報
【発明の開示】
【発明が解決しようとする課題】
【０００５】
従来の第１の技術の車載用電子機器は、起立状態では、操作手段が露出し、運転手が操作手段を操作することができるけれども、折り畳み状態では、操作手段がパネルによって覆われるので、運転手が操作手段を操作することが困難である。したがって操作手段を操作する場合、折り畳まれている状態であるならば、一度起立状態にしてから操作する必要があり、手間がかかり面倒である。
【０００６】
従来の第２の技術のナビゲーションシステムは、操作装置が折り畳まれている状態で、操作装置が表示手段に対向するので、表示手段に画像を表示させる際、操作手段を広げて使用する。また表示手段に画像を表示させない場合、操作装置を折り畳んだ状態にする。ナビゲーションシステムの下方にカップホルダなどが配置されている場合、操作装置が広がっている状態では、カップホルダに飲料容器を載置することが難しくなる。またこのようなナビゲーションシステムでは、操作装置を折り畳んだ状態にすると、表示手段の画像が消えるなどして、画面が暗くなる。夜間など表示手段の画面を暗くした場合に、操作装置が折り畳まれる。このように操作装置が折り畳まれている状態では、操作手段が表示手段に対向しているので、運転手などが操作することができず、一度広げてから操作手段を操作する必要があり、手間がかかり面倒である。
【０００７】
本発明の目的は、操作装置が折り畳まれている状態でも操作可能な電子機器を提供することである。
【課題を解決するための手段】
【０００８】
本発明（１）に従えば、操作装置は、筐体の一表面部が電子機器本体に臨む収容位置に変位可能であり、操作手段の一部は、筐体の一表面部に垂直な方向に見た平面視において、一表面部から外方に向かって突出しているので、操作装置を収容位置に変位させて、操作手段が電子機器本体に臨んでも、操作手段の前記一部が筐体から突出する。
【０００９】
本発明（２）に従えば、操作装置は、筐体の一表面部が折り畳まれている状態で電子機器本体に臨み、操作手段の一部は、筐体の一表面部に垂直な方向に見た平面視において、一表面部から外方に向かって突出している。したがって操作装置を折り畳んで操作手段が電子機器本体に臨んでも、操作手段の前記一部が筐体から突出する。
【００１０】
本発明（３）に従えば、軸線が筐体の一表面部に対して垂直に形成され、操作装置を電子機器本体に対して角変位させることによって折り畳むことができる。判定手段は、操作装置が折り畳まれている状態か広げられている状態かを判定する。判定手段が広げられている状態と判定した場合、軸線まわり一方向に操作手段を角変位させると、電気信号が制御回路に伝送され、制御回路が第１制御状態に切替わり、他方向に角変位させると、電気信号が制御回路に伝送され、制御回路が第２制御状態に切替わる。判定手段が広げられている状態と判定した場合、軸線まわり一方向に操作手段を角変位させると、電気信号が制御回路に伝送され、制御回路が第１制御状態に切替わり、他方向に角変位させると、電気信号が制御回路に伝送され、制御回路が第２制御状態に切替わる。
【００１１】
本発明（４）に従えば、操作装置を角変位可能な駆動手段をさらに有し、判定手段は駆動手段の角変位量を検出し判定する。駆動手段によって操作装置を角変位させ、駆動手段の角変位量に基づいて、操作装置の折り畳まれている状態および広げられている状態を判定する。
【００１２】
本発明（５）に従えば、操作手段は、突出する方向と反対の方向に押圧可能に形成され、押圧されると電子回路に電気信号を伝送する。操作手段の状態に関わらず、操作手段を押圧することができる。
【００１３】
本発明（６）に従えば、電子機器本体と、前記電子機器本体に変位可能に取付けられる操作装置と、を備え、前記操作装置は、前記操作装置の一表面部が前記電子機器本体に臨む閉状態、および前記操作装置の一表面部が露出する開状態で操作可能な操作手段を備える。
【００１４】
本発明（７）に従えば、前記操作手段は、前記操作装置の一表面部側に設けられ、前記操作手段の一部は、前記一表面部から突出している。
【００１５】
本発明（８）に従えば、前記操作手段は、前記操作装置の一表面部側に設けられる第１操作手段と、前記操作装置の一表面部と反対側の他表面部側に設けられる第２操作手段と、を備える。
【００１６】
本発明（９）に従えば、前記操作装置が閉状態にあるとき、前記第２操作手段は、前記他表面部から突出し、前記操作装置が開状態にあるとき、前記第１操作手段は、前記一表面部から突出する。
【発明の効果】
【００１７】
本発明（１）によれば、操作手段の一部が、一表面部に垂直な方向に見た平面視において、一表面部から突出しているので、操作装置を収容位置に変位させて、操作手段が電子機器本体に臨んでも、操作手段の前記一部が筐体から突出する。これによって操作手段が電子機器本体に臨んでいる状態でも、使用者は、操作手段を操作することができ、操作装置の位置に関わらず、操作手段を操作することができる利便性の高い電子機器を実現できる。
【００１８】
本発明（２）によれば、操作装置を折り畳んで操作手段が電子機器本体に臨んでも、操作手段の前記一部が筐体から突出する。これによって操作手段が電子機器本体に臨んでいる状態でも、操作手段の一部を操作することによって、操作手段を軸線まわり一方向または他方向に回動させることができ、操作装置の位置に関わらず、操作手段を操作することができる利便性の高い電子機器を実現できる。
【００１９】
本発明（３）によれば、操作装置が折り畳まれている状態および広げられている状態のどちらであっても、使用者が操作手段を軸線まわり一方向に角変位させると、第１制御状態に切替わり、軸線まわり他方向に角変位させると、第２制御状態に切替わる。したがって第１または第２制御状態にする場合、操作装置の状態に合わせて角変位させる方向を考える必要がなく、使用者が容易に操作できる。
【００２０】
本発明（４）によれば、駆動手段の角変位量に基づいて、操作装置の折り畳まれている状態および広げられている状態を判定することができるので、正確に操作装置の状態を判定することができる。これによって使用者が、操作装置の状態に合わせて操作する必要がなく、使用者の意に反する制御状態になることを抑制できる。
【００２１】
本発明（５）によれば、操作手段の状態に関わらず、操作手段を押圧することができ、電気信号を電子回路に伝送することができ、利便性が高い。
【００２２】
本発明（６）によれば、電子機器本体と、前記電子機器本体に変位可能に取付けられる操作装置と、を備え、操作装置は、操作装置の一表面部が電子機器本体に臨む閉状態、および操作装置の一表面部が露出する開状態で操作可能な操作手段を備える。これによって、操作装置を閉状態および開状態のいずれの状態に変位させても、使用者は、操作手段を操作することができ、操作装置の状態に関わらず、操作手段を操作することができる利便性の高い電子機器を実現できる。
【００２３】
本発明（７）によれば、操作手段は、操作装置の一表面部側に設けられ、操作手段の一部は、前記一表面部から突出しているので、操作装置を閉状態および開状態のいずれの状態に変位させても、使用者は、操作手段を操作することができる。
【００２４】
本発明（８）によれば、操作手段は、操作装置の一表面部側に設けられる第１操作手段と、操作装置の一表面部と反対側の他表面部側に設けられる第２操作手段と、を備える。これによって操作装置が折り畳まれて閉状態に変位している状態、および操作装置が広げられて開状態に変位している状態のいずれの状態であっても、使用者は、操作手段を操作することができる。
【００２５】
本発明（９）によれば、操作装置が閉状態にあるとき、第２操作手段は、操作装置の前記他表面部から突出し、操作装置が開状態にあるとき、第１操作手段は、操作装置の前記一表面部から突出するので、使用者は、容易に各操作手段を操作することができる。
【発明を実施するための最良の形態】
【００２６】
以下、図面を参照しながら本発明を実施するための形態を、複数の形態について説明する。各形態で先行する形態で説明している事項に対応している部分には同一の参照符を付し、重複する説明を略する場合がある。構成の一部のみを説明している場合、構成の他の部分は、先行して説明している形態と同様とする。また実施の各形態で具体的に説明している部分の組合せばかりではなく、特に組合せに支障が生じなければ、実施の形態同士を部分的に組合せることも可能である。
【００２７】
図１は、本発明の実施の第１の形態であるナビゲーションシステム１の閉状態を示す正面図である。図２は、ナビゲーションシステム１の開状態を示す正面図である。図３は、ナビゲーションシステム１の電気的構成を示すブロック図である。図４は、操作装置２を示す斜視図である。図５は、操作装置２の内部を示す斜視図である。図６は、操作装置２の各状態を示す側面図である。電子機器の一例であるナビゲーションシステム（以下、単に「ナビ」と称する場合がある）１は、たとえば車のインストルメントパネルに設けられ、地図などの画像を表示する機能を有し、運転手を目的地に案内するための電子機器である。ナビ１は、操作装置２によって目的地の入力などの操作が可能に構成されている。さらにナビ１は、テレビジョン放送を受信して、テレビ画像を表示することができ、またコンパクトディスク（Compact Disk：略称ＣＤ）およびハードディスク（Hard Disk：略称ＨＤ）などの記録媒体に記録されている音楽情報を再生することができる。ただしナビ１は、電子機器の一例であり、オーディオ機器であってもよく、また家電製品であってもよい。ナビ１には、ナビ本体３と、操作装置２と含む。
【００２８】
ナビ本体３は、大略的に、ナビ筐体４、表示部５と、本体傾動機構６と、記憶部７と、再生部８と、インターフェイス部９と、中央演算処理装置（Central Processing Unit：
略称ＣＰＵ）１０と、リードオンリーメモリー（Read Only Memory：略称ＲＯＭ）１１と、ランダムアクセスメモリ（Random Access Memory：略称ＲＡＭ）１２と、バス１３と、駆動回路１４と、傾動機構駆動回路１５と、パネル操作部１６とを有する。ナビ筐体４は、筐体本体１７と枠体１８とを有する。
【００２９】
筐体本体１７は、直方体形状の箱体であり、長手方向一方が開口している。筐体本体１７の長手方向をＸ方向と称し、幅方向をＹ方向と称し、高さ方向をＺ方向と称する。枠体１８は、矩形枠状に形成され、筐体本体１７の開口部に嵌まり込んでいる。筐体本体１７および枠体１８は、たとえば鋼板によって形成されている。
【００３０】
表示部５は、たとえば液晶モニターであり、動画および静止画を表示可能に構成されている。表示部５は、矩形の板状に形成され、枠体１８に嵌まり込んでいる。本体傾動機構６は、筐体本体１７に設けられ、枠体１８を筐体本体１７に対して傾動可能に構成されている。本実施の形態では、本体傾動機構６は、枠体１８のＺ方向下端を筐体本体１７に対して離反する方向に変位させ、枠体１８のＺ方向上端を筐体本体１７の開口部に内周面部に沿って下方に変位させることによって、枠体１８を筐体本体１７に対して傾動させている。本体傾動機構６は、この傾動している状態から枠体１８のＺ方向下端を筐体本体１７に近接する方向に変位させ、枠体１８のＺ方向上端を筐体本体１７の開口部に内周面部に沿って上方に変位させることによって、枠体１８を筐体本体１７に対して立位状態に戻す。表示部５は、このような立位状態で、表示される画像が外方から視認できるように、枠体１８に嵌まり込んでいる。
【００３１】
記憶部７は、たとえばＨＤであり、地図情報および音楽情報など情報が記憶されている。記憶部７は、情報を書き換え可能に構成されている。再生部８は、ＣＤおよびデジタル多機能ディスク（Digital Versatile Disk；略称：ＤＶＤ）などの記憶媒体に記憶されている音楽または動画などの情報を再生可能に構成さている。
【００３２】
インターフェイス部９は、いわゆる入出力インターフェイスであり、表示部５、本体傾動機構６、記憶部７および再生部８と電気的に接続されている。ＣＰＵ１０は、バス１３を介してインターフェイス部９に電気的に接続されている。ＣＰＵ１０は、演算可能に構成され、バス１３およびインターフェイス部９を介して、各構成部に対して電気信号を送受信可能に構成されている。ＲＯＭ１１は、ＣＰＵ１０を駆動するためのプログラムが記憶され、書き換え不能に構成されている。ＲＡＭ１２は、ＣＰＵ１０などから伝送される情報を一時的に記憶可能に構成され、書き換え可能に構成されている。ＲＯＭ１１およびＲＡＭ１２は、バス１３に電気的に接続され、バスを介して、ＣＰＵ１０およびインターフェイス部９に電気的に接続されている。電子回路に含まれる制御回路３６は、ＣＰＵ１０、ＲＯＭ１１、ＲＡＭ１２、バス１３、インターフェイス部９を含んで構成される。
【００３３】
表示部５とインターフェイス部９との間には、駆動回路１４が電気的に介在している。駆動回路１４は、表示部５を駆動させる回路であり、ＣＰＵ１０からの伝送される電気信号に基づいて、表示部５に画像を表示させる機能を有する。また本体傾動機構６とインターフェイス部９との間には、傾動機構駆動回路１５が電気的に介在している。傾動機構駆動回路１５は、本体傾動機構６を駆動させる回路であり、ＣＰＵ１０からの伝送される信号に基づいて、本体傾動機構６を駆動させる機能を有する。
【００３４】
パネル操作部１６は、いわゆるタッチパネルであり、圧力を感知し、押圧された位置情報を伝送する透光性を有する板である。パネル操作部１６は、表示部７を覆うように設けられ、インターフェイス部９に電気的に接続されている。パネル操作部１６は、表示部５を押圧すると、その押圧された位置情報をＣＰＵ１０に伝送する機能を有する。本実施の形態では、表示部５に複数のアイコン２０（図１および２参照）が表示され、これらのうちいずれかのアイコン２０を指などで押圧すると、押圧された位置情報をＣＰＵ１０に伝送し、その位置に表示されるアイコン２０に関連付けられている画像を表示部５に表示する。
【００３５】
記憶部７と、再生部８と、インターフェイス部９と、ＣＰＵ１０と、ＲＯＭ１１と、ＲＡＭ１２と、バス１３と、駆動回路１４と、傾動機構駆動回路１５と、パネル操作部１６とは、筐体本体１７内に配設されている。
【００３６】
操作装置２は、操作装置筐体２１と、複数のボタン操作手段２２と、ロータリ操作手段２３と、操作装置傾動機構２４と、操作装置駆動回路２５と、センサ２６とが含まれている。操作装置筐体２１は、大略的に一方向に延びる矩形状であって、その厚み方向両側面が扁平状の箱体に形成されている。以下では、操作装置筐体２１の長手方向をＹ１方向とし、厚み方向をＸ１方向とし、幅方向をＺ１方向と称する。本実施の形態では、Ｙ１方向およびＹ方向が一致している。枠体１８のＹ方向両側面部のＺ方向下端部には、Ｘ方向一方に突出する連結部２７がそれぞれ形成されている。枠体１８のＺ方向底面部のＹ方向中間部には、Ｘ方向一方に突出する中央連結部２８が形成され、この中央連結部２８には、軸部材３０が挿通し固着されている。Ｘ方向一方は、Ｘ方向のうち本体筐体１７の開口部が開口している方向である。
【００３７】
操作装置筐体２１のＹ１方向一端部および他端部は、そのＺ１方向一端部が枠体１８の連結部２７にピン部材３１によって、Ｙ方向に平行な軸線Ｌ１まわりに角変位可能に連結されている。また操作装置筐体２１のＺ１方向一端部の中間部には、凹部２９が形成されている。この凹部２９には、中央連結部２８が嵌まり込み、軸部材３０が軸線Ｌ１まわりに角変位可能に挿通されている。中央連結部２８、凹部２９および軸部材３０によってヒンジ３２が構成される。このように操作装置筐体２１は、連結部２７、ピン部材３１およびヒンジ３２によって、軸線Ｌ１まわりに角変位可能に枠体１８に連結されるる。これによって操作装置筐体２１は、図１に示すようなＸ１方向一表面部２１ａと表示部５とが臨む、本実施の形態では対向する閉状態と、図２に示すようなＸ１方向一表面部２１ａが外方に臨む開状態とにわたって角変位可能に構成される。収容位置である開状態は、具体的には、操作装置２が閉状態に対して１８０度角変位している位置である。操作装置筐体２１には、閉状態で、表示部５と操作装置筐体２１のＸ１方向一表面部２１ａとが当接することを防止するために、緩衝部材２１ｂが設けられている。緩衝部材２１ｂは、前記一表面部から離反する方向に突出している。
【００３８】
操作装置筐体２１は、そのＸ１方向一表面部２１ａに複数のボタン操作手段２２が設けられている。各ボタン操作手段２２は、インターフェイス部９に電気的に接続されている。各ボタン操作手段２２は、操作される、具体的には、Ｘ１方向押圧されると、インターフェイス部９を介して、電気信号をＣＰＵ１０に伝送する。ＣＰＵ１０は、各ボタン操作手段２２に関連付けられている構成部に電気信号を伝送し駆動させる。本実施の形態では、１０個のボタン操作手段２２がＺ１方向他端部側に設けられ、Ｙ１方向一端部から他端部に向かって、チルトボタン、電源ボタン、録音ボタン、画質調整ボタン、早送りボタン、巻戻しボタン、インフォメーションボタン、メニューボタン、目的地ボタンおよび現在地ボタンが配設されている。
【００３９】
チルトボタンは、本体傾動機構６を駆動させて、枠体１８を傾動させるためのチルトモードにモード変更するためのボタンである。電源ボタンは、ナビ１の電源をオンまたはオフするためのボタンである。録音ボタンは、再生部８で再生される情報を記憶部に記憶させるためのボタンである。画質調整ボタンは、表示部５の画質を調整するためのボタンである。早送りボタンは、記憶部７に記憶される音楽情報を再生しているとき、または再生部８で記録媒体に記録されている音楽情報を再生しているときに、音楽を早送りするためボタンであり、巻戻しボタンは、音楽を巻戻すためのボタンである。早送りボタンおよび巻戻しボタンは、ラジオ放送などの周波数調整をするためのボタンでもある。インフォメーションボタンおよびメニューボタンは、特定の表示画面、具体的には図２に示されるインフォメーション画面、およびメニュー画面を表示部５に表示させるためのボタンである。目的地ボタンは、表示部５に表示されている地図において、特定に位置を目的地に設定するためのボタンである。現在地ボタンは、表示部５に現在地を表示させるためのボタンである。
【００４０】
操作手段であるロータリ操作手段２３は、いわゆるロータリスイッチであり、ロータリ操作部３３と、ロータリエンコーダ３４とを含む。ロータリ操作部３３は、大略的に円板状に形成され、操作装置筐体２１のＸ１方向一表面部２１ａに回動軸線Ｌ２まわり一方向および他方向に回動可能に設けられている。回動軸線Ｌ２は、操作装置筐体２１の操作手段のＸ１方向に平行な軸線である。以下では、操作装置筐体２１のＸ１方向一表面部２１ａを基準にして回動軸線Ｌ２まわり一方向、具体的には図１および図２において時計回りの方向をＡ１方向と称し、他方向、具体的には反時計回りの方向をＡ２方向と称する。ロータリ操作部３３は、その回動軸線Ｌ２が操作装置筐体２１のＺ１方向一端部側に配置され、その一部がＺ１方向一端部からＺ１方向外方に突出している。ロータリ操作部３３は、すなわちＸ１方向平面視において、操作装置筐体２１のＸ１方向一表面部２１ａからＺ１方向外方に向かって突出している。さらに具体的に説明すると、ロータリ操作部３３は、外方に突出する部分の円弧３３ａの角度が６０度に形成されている。前記角度は、好ましくは３０度以上９０度以下である。このようにロータリ操作部３３の一部だけ突出させている場合、この円弧３３ａの角度域の範囲内、本実施の形態では、０度以上６０度以下の範囲内で、ロータリ制御部３３を回動させることができる。本実施の形態では、ボリュームは、ロータリ操作部３３を６度で回動させることによって、１ステップ変化し、ロータリ操作部３３の回動により３６ステップ内で増加または減少が可能であるが、ステップ数はこれに限定されない。円弧３３ａの角度を６０度にすることによって、一度の操作でボリュームを最大１０ステップの減少ができる。音楽を聴くときのボリュームは、１０ステップ程度であり、２０ステップ以上になると、隣の人、たとえば助手席に着座する人と会話が困難になる。円弧３３ａの角度を３０度以上９０度以下にすると、二〜三度の操作によって、音が鳴らないミュート状態にすることができる。特に６０度にすると、１０ステップ程度で聞いている場合、一度に最大限回動させるだけで、ミュート状態にすることができ、また大音量、たとえば２０ステップで聞いている場合、二度最大限回動させるだけで、ミュート状態にすることができる。ロータリ操作部３３は、本実施の形態では、メニューボタンと目的地ボタンとの間に設けられている。
【００４１】
ロータリ操作部３３には、ロータリエンコーダ３４が設けられている。ロータリエンコーダ３４は、ロータリ操作部３３のＡ１方向およびＡ２方向の回動を検出する機能を有する。ロータリエンコーダ３４は、インターフェイス部９に電気的に接続されている。ロータリエンコーダ３４は、Ａ１方向の回動を検出すると、インターフェイス部９を介して、第１制御信号をＣＰＵ１０に伝送し、Ａ２方向の回動を検出すると、インターフェイス部９を介して、第２制御信号をＣＰＵ１０に伝送する。本実施の形態では、ロータリ操作手段２３は、ボリュームを制御させるためのボリュームスイッチであり、ロータリ操作部３３を回動させることによって、音量を大きくまたは小さくすることができる。
【００４２】
操作装置傾動機構２４は、操作装置モータ２４ａと、ギア列２４ｂを含む。操作装置モータ２４ａは、出力軸がその軸線まわりに回動可能に構成される。ギア列２４ｂは、入力側が操作装置モータ２４ａの出力軸に噛み合い、出力側が軸部材３０に連結または固着されている。つまりギア列２４ｂは、操作装置モータ２４ａのトルクを軸部材３０に伝達し、軸部材３０を凹部２９に対して回動させるものである。
【００４３】
操作装置駆動回路２５は、インターフェイス部９および操作装置モータ２４ａに電気的に接続されている。操作装置駆動回路２５は、ＣＰＵ１０から伝送される電気信号に基づいて、操作装置モータ２４ａを駆動させ、電子機器本体３に対し操作装置２を閉状態から開状態にわたって回動させる、すなわちチルトさせる機能を有する。
【００４４】
センサ２６は、軸部材３０の基準位置に対する角変位量を検出する機能を有する。センサ２６は、たとえばロータリセンサであり、軸部材３０に設けられている。センサ２６は、インターフェイス部９に電気的に接続され、インターフェイス部９を介して、軸部材３０の角変位量を示す電気信号をＣＰＵ１０に伝送する。具体的には、角変位量に応じて電圧が大きくなり、ＣＰＵ１０は、電圧の大きさに応じて角変位量を演算する。ただしこのような判定方法に限定されない。ＣＰＵ１０は、この角変位量に基づいて、操作装置２が閉状態か開状態かを判定する。判定手段は、センサ２６およびＣＰＵ１０によって構成される。
【００４５】
操作装置２についてさらに説明すると、操作装置２は、閉状態および開状態以外に、各種の傾動状態に保持可能に構成されている。具体的には、操作装置モータ２４ａの駆動を停止することによって、ギア列２４ｂの駆動を停止し、各種の傾動状態で保持し、電子機器本体３が閉状態の位置に対して１３５度の位置である第１傾動状態、および９０度の位置である第２傾動状態に保持可能に構成されている。ただし第１および第２傾動状態は、このような位置に限定されない。たとえば操作装置筐体２１に対して垂直に位置と、その位置から１０度ずつ異なる６つの位置の合計７つの位置で操作装置２をそれぞれ保持可能に構成されてもよい。すなわち操作装置２を６段階の位置に保持可能に構成されてもよい。この場合、閉状態から最も角変位量が大きい状態、すなわち操作装置２が６０度角変位した状態が開状態となる。以下では、説明の便宜上、操作装置２を閉状態、第１傾動状態、第２傾動状態および開状態に保持可能である場合について説明する。
【００４６】
ボタン操作手段２２には、さらに開ボタン２２ａが含まる。開ボタン２２ａは、操作装置筐体２１のＸ１方向他表面部に押圧可能に配設されている。開ボタン２２ａは、インターフェイス部９に電気的に接続され、操作される。具体的には押圧されると、電気信号が、インターフェイス部９を介してＣＰＵ１０に伝送される。ＣＰＵ１０は、前記電気信号が伝送されると、操作装置駆動回路２５に電気信号を伝送し、操作装置モータ２４ａを駆動させて、操作装置２を開状態にする。
【００４７】
図７は、チルトモードにおけるパネル操作部１６に表示される画像を示す図である。操作装置チルトボタン６０は、操作装置２の傾動位置を切替えるためのボタンであり、チルトモード時のアイコン２０の１つである。チルトモードは、操作装置２をチルトさせるためのモードであり、操作手段の１つであるチルトボタンを操作することによって、モードが移行する。チルトモードでは、操作装置チルトボタン６０がパネル操作部１６に表示されている。操作装置チルトボタン６０には、第１チルトボタン６０ａ、第２チルトボタン６０ｂおよび閉ボタン６０ｃとが含まれる。第１チルトボタン６０ａは、操作されると、操作装置２を軸線Ｌ１まわり一方Ｂ１に回動させるためのボタンである。第２チルトボタン６０ｂは、操作装置２を軸線Ｌ１まわり一方Ｂ１に回動させるためのボタンである。閉ボタン６０ｃは、操作装置２を軸線Ｌ１まわり一方Ｂ１に回動させ閉状態にするためのボタンである。パネル操作１６の操作装置チルトボタン６０が表示される部位を押圧操作することによって、操作装置２をチルトさせることができる。また第１チルトボタン６０ａを連続押圧することによっても、閉ボタン６０ｃと同様の機能を奏する。
【００４８】
さらにナビ１には、スピーカ４０がインターフェイス部９に電気的に接続され、このスピーカ４０とインターフェイス部９との間に、スピーカ４０を駆動するスピーカ駆動回路４１が電気的に介在している。
【００４９】
以下では、ナビ１の動作について説明する。まず操作装置２の傾動動作について説明する。操作装置２が閉状態のとき、開ボタン２２ａがＸ方向一方に向かっている。この開ボタン２２ａを操作すると、開動作処理が開始する。開ボタン２２ａが操作されると、開ボタン２２ａからＣＰＵ１０に電気信号が伝送される。ＣＰＵ１０は、この電気信号を受信すると、操作装置駆動回路２５に電気信号を伝送し、操作装置傾動機構２４の操作装置モータ２４ａを回動させて、操作装置２を開状態にする。操作装置２が開状態のとき、開ボタン２２ａは、Ｘ方向他方に向かっている。開状態にすると、開動作処理が終了する。
【００５０】
さらに操作装置チルトボタン６０を操作すると、傾動処理が開始する。操作装置チルトボタン６０を操作すると、パネル操作部１６からＣＰＵ１０に電気信号が伝送される。ＣＰＵ１０は、この電気信号を受信すると、操作装置２を傾動すべきと判断し、操作装置駆動回路２５に電気信号を伝送する。操作装置駆動回路２５は、前記電気信号を受信すると、操作装置傾動機構２４の操作装置モータ２４ａを回動させて、第１および第２傾動状態うちいずれかの傾動状態で操作装置２を保持する。
【００５１】
具体的には、第１チルトボタン６０ａを操作すると、開状態から第１傾動状態、第１傾動状態から第２傾動状態、第２傾動状態から閉状態に、操作装置２をそれぞれ傾動する。第２チルトボタン６０ｂを操作すると、第２傾動状態から第１傾動状態、第１傾動状態から開状態に、操作装置２をそれぞれ傾動する。また閉ボタン６０ｃを操作すると、第１傾動状態、第２傾動状態および開状態のうちいずれの傾動状態からでも閉状態に操作装置２を傾動する。
【００５２】
さらに詳細に説明すると、ＣＰＵ１０は、センサ２６から伝送される電気信号に基づいて、操作装置２の開状態からの角変位量αを演算する。ＣＰＵ１０は、角変位量αが各状態の角変位量に達すると、操作装置モータ２４ａの回動を停止し、その状態に操作装置２を保持する。これによって操作装置２を各状態に傾動し保持することができる。ＣＰＵ１０は、操作装置２が閉状態になると、図１に示すように、開状態の場合より、表示部５の背景の明度を下げ、暗くする。各状態に傾動し保持すると、傾動処理が終了する。
【００５３】
図８は、ロータリ操作部２３を操作したときのＣＰＵ１０の処理動作を示すフローチャートである。次にロータリ操作部２３を操作したときのＣＰＵ１０の処理動作について説明する。ロータリ操作部２３が回動されると、処理動作が開始し、ステップｓ１へ移行する。ステップｓ１では、センサ２６から伝送される信号に基づいて、操作装置２が閉状態か否かを判定する。具体的な判定方法の一例としては、たとえばセンサ２６から伝送される電気信号に基づいて、操作装置２の角変位量αを演算する。角変位量αに基づいて、操作装置２の閉状態かまたはそれ以外の状態かを識別し、ＲＡＭ１２に記憶させておく。ステップｓ１において、ＲＡＭ１２から操作装置２の状態の情報を取得し、操作装置２が閉状態か否かを判定する。またこのような判定方法の他の例として、判定する毎にセンサ２６から角変位量αに対応する電気信号を伝送させ、角変位量αを演算してもよい。操作装置２が閉状態でないと判定する、すなわち開状態または傾動状態であると判定すると、ステップｓ２へ移行する。
【００５４】
ステップｓ２では、ロータリエンコーダ３４から第１制御信号が伝送されているか否かを判定する。すなわち、ロータリ操作部３３が開状態において、図２の紙面に向かって時計回りの方向であるＡ１方向に角変位されているか否かを判定する。具体的な判定方法について説明すると、ロータリエンコーダ３４は、ロータリ操作部３３を回動すると、互いに半波長だけ位相がことなる２つのパルス信号をインターフェイス部９に伝送する。Ａ１方向に回動させると、一のパルス信号Ａが先に立上り、他のパルス信号Ｂが次に立ち上がる。Ａ２方向に回動させると、他のパルス信号Ｂが先に立上り、一のパルス信号Ａが次に立ち上がる。ＣＰＵ１０は、２つのパルス信号の立上るまたは立ち下がる順序に基づいて、第１および第２制御信号のどちらが伝送されているかを判定する。ただし判定する方法は、このような方法に限定されず、第１および第２制御信号を電圧の大きさおよび波長の違いによって判断させてもよい。これによってロータリ操作部３３がＡ１およびＡ２方向のどちらの方向に角変位されているかを判定できる。ロータリエンコーダ３４から伝送される電気信号が第１制御信号であると判定すると、ステップｓ３へ移行する。
【００５５】
ステップｓ３では、第１制御状態に切換える。本実施の形態では、第１制御状態とは、スピーカ４０から出る音の音量（以下、「スピーカ４０の音量」と称する）が大きくなるように、ＣＰＵ１０がスピーカ駆動回路４１を制御する状態である。このようにしてスピーカ４０の音量を上げると、ステップｓ４へ移行する。
【００５６】
ステップｓ４では、ロータリエンコーダ３４からの第１制御信号の伝送が停止しているか否かを判定する。前記制御信号の伝送が停止していない、すなわち継続していると判定すると、ステップｓ３へ戻る。前記制御信号の伝送が停止していると判定すると、処理を終了する。
【００５７】
ステップｓ１で操作装置２が閉状態であると判定すると、ステップｓ５へ移行する。ステップｓ５では、ステップｓ２と同様に、ロータリエンコーダ３４から第１制御信号が伝送されているか否かを判定する。すなわち、ロータリ操作部３３が閉状態において、図１の紙面に向かって時計回りの方向であるＡ１方向に角変位されているか否かを判定する。これによってロータリ操作部３３がＡ１およびＡ２方向のどちらの方向に角変位されているかを判定できる。ロータリエンコーダ３４から伝送される電気信号が第１制御信号であると判定すると、ステップｓ３へ移行する。
【００５８】
ステップｓ２で第１制御信号が伝送されていないと判定された場合、すなわち第２制御信号が伝送されていると判定された場合、またはステップｓ５で第１制御信号が伝送されていないと判定すると、ステップｓ６へ移行する。ステップｓ６では、第２制御状態に切換える。本実施の形態では、第２制御状態とは、スピーカ４０の音量が小さくなるように、ＣＰＵ１０がスピーカ駆動回路４１を制御する状態である。このようにしてスピーカ４０の音量を下げると、ステップｓ７へ移行する。
【００５９】
ステップｓ７では、ロータリエンコーダ３４から第２制御信号の伝送が停止しているか否かを判定する。前記制御信号の伝送が停止していない、すなわち継続していると判定すると、ステップｓ６へ戻る。前記制御信号の伝送が停止していると判定すると、処理を終了する。
【００６０】
このようにして構成されるナビ１が奏する効果について説明する。本実施の形態のナビ１によれば、ロータリ操作手段２３の一部、具体的にはロータリ操作部３３の一部が操作装置筐体２１のＸ１方向平面視において、Ｘ１方向一表面部２１ａからＺ１方向外方に突出しているので、操作装置２を折り畳み、ロータリ操作手段２３がナビ本体３に臨んでも、ロータリ操作部３３の前記一部が操作装置筐体２１から突出する。これによってロータリ操作部３３がナビ本体３に臨んでいる状態でも、使用者は、ロータリ操作部３３を操作することができ、操作装置２の位置に関わらず、ロータリ操作部３３を操作することができる利便性の高いナビ１を実現できる。
【００６１】
本実施の形態のナビ１によれば、操作装置２がナビ本体３に対して折り畳み可能に設けられ、ロータリ操作手段２３は、回動軸線Ｌ２まわりに回動することによって、制御回路３６に第１または第２制御信号を伝送する。またロータリ操作部３３の一部が、Ｘ１方向平面視において、操作装置筐体２１のＸ１方向一表面部２１ａから突出している。したがって操作装置２を折り畳んで、ロータリ操作部３３がナビ本体に臨んでも、ロータリ操作部３３の前記一部が操作装置筐体２１から突出する。これによってロータリ操作部３３がナビ本体３に臨んでいる状態でも、前記一部を操作することによって、ロータリ操作部３３を回動軸線Ｌ２まわり一方向または他方向に回動させることができ、操作装置２の位置に関わらず、ロータリ操作部３３を操作することができる利便性の高いナビ１を実現できる。
【００６２】
本実施の形態のナビ１によれば、回動軸線Ｌ２が操作装置筐体２１のＸ１方向一表面部２１ａに対して垂直に形成され、操作装置２を電子機器本体に対して角変位させることによって折り畳むことができる。ＣＰＵ１０は、操作装置２が折り畳まれている状態か広げられている状態かを判定する。ＣＰＵ１０が、操作装置２が電子機器本体に対して折り畳まれている状態と判定した場合、回動軸線Ｌ２まわり一方向にロータリ操作部３３を回動させると、第１制御信号が制御回路３６に伝送され、制御回路３６が第１制御状態に切替わりスピーカ４０の音量を上げ、他方向に回動させると、第２制御信号が制御回路３６に伝送され、制御回路３６が第２制御状態に切替わりスピーカ４０の音量を下げる。
【００６３】
ＣＰＵ１０が、操作装置２が電子機器本体に対して広げられている状態と判定した場合、回動軸線Ｌ２まわり一方向にロータリ操作部３３を回動させると、第１制御信号が制御回路３６に伝送され、制御回路３６が第１制御状態に切替わりスピーカ４０の音量を上げ、他方向に回動させると、第２制御信号が制御回路３６に伝送され、制御回路３６が第２制御状態に切替わり、スピーカ４０の音量を下げる。
【００６４】
これによって操作装置２が折り畳まれている状態および広げられている状態のどちらであっても、使用者がロータリ操作部３３を回動軸線Ｌ２まわり一方向に回動させると、スピーカ４０の音量を上げることができ、回動軸線Ｌ２まわり他方向に回動させると、スピーカ４０の音量を下げることができる。したがってスピーカ４０の音量を上げるまたは下げる場合、操作装置２の状態に合わせて回動させる方向を考える必要がなく、使用者が容易に操作できる。
【００６５】
本実施の形態のナビ１によれば、操作装置傾動機構２４によって操作装置２を角変位させることができる。またセンサ２６が操作装置傾動機構２４の角変位量αに対応する電気信号を制御回路３６に伝送し、制御回路３６は電気信号に基づいて、角変位量αを演算し、操作装置の折り畳まれている状態および広げられている状態を判定することができるので、正確に操作装置２の状態を判定することができる。これによって使用者が、操作装置２の状態に合わせて操作する必要がなく、使用者の意に反するロータリ操作手段から制御状態になることを抑制できる。
【００６６】
本実施の形態のナビ１によれば、操作装置２が閉状態になると、開状態に比べて表示部５の背景の明度が下がり暗くなるので、夜など辺りが暗い状態で操作装置２を閉状態にすると、車内からの発光を抑制することができ、車外から内方の様子が見え難くなる。ロータリ操作部３３の一部が操作装置筐体２１からＺ１方向に突出するので、操作装置２が閉状態で操作装置筐体２１のＺ１方向一表面部２１ａが表示部５に臨むにもかかわらず、ロータリ操作部３３を操作することができ、車内の様子が車外から見られることを抑制できる。また他車が眩しくなく、事故などを抑制できる。
【００６７】
本実施の形態のナビ１によれば、ペットボトルおよび缶などの飲料水用などの容器を保持するカップホルダがナビ１の下方に配設される場合、カップホルダに容器を保持させていると、操作装置２を閉状態にする必要がある。また操作装置２を開状態、第１傾動状態および第２傾動状態のいずれか１つの状態に傾動させる場合、前記容器をカップホルダから取り去る必要がある。本実施の形態のナビ１によれば、前記容器をカップホルダから取り除かなくても、操作装置２が閉状態のままで、ロータリ操作部３３を操作することができ、運転者が容易に操作することができる。
【００６８】
図９は、本発明の実施の第２の形態であるナビゲーションシステム１Ａの閉状態を示す正面図である。図１０は、ナビゲーションシステム１Ａの開状態を示す正面図である。図１１は、ナビゲーションシステム１Ａの電気的構成を示すブロック図である。図１２は、操作装置２の各状態を示す側面図である。実施の第２の形態のナビ１Ａは、実施の第１の形態のナビ１と構成が類似している。したがってナビ１Ａの構成については、実施の第１の形態のナビ１と異なる点についてだけ説明し、同一の構成については同一の符号を付してその説明を省略する。
【００６９】
操作装置２に設けられるセンサ２６に代えて、センサ５０が枠体１８に設けられる。センサ５０は、いわゆるスイッチングセンサであり、突起片５１を有し、突起片５１の押圧状態に応じて、インターフェイス部９に電気信号を伝送する機能を有する。突起片５１は、枠体１８からＸ方向一方に突出するように設けられ、枠体１８に対してＸ方向に相対的、かつ弾発的に変位可能に設けられている。突起片５１は、閉状態の操作装置２の操作装置筐体２１のＸ１方向一表面部２１ａに当接し、Ｘ方向他方に押圧されるように設けられている。突起片５１は、操作装置２が閉状態において、操作装置２に押圧されてＸ方向他方に相対変位し、操作装置２が開状態、第１傾動状態または第２傾動状態において、Ｘ方向一方に弾発的に変位して、突出している。センサ５０は、突起片５１が押圧されると、電気信号をインターフェイス部９を介してＣＰＵ１０に伝送し、ＣＰＵ１０は、この電気信号に基づいて、操作装置２が閉状態であることを検出する。また突起片５１が押圧から開放されＸ１方向他方に突出すると、センサ５０は、電気信号をインターフェイス部９を介してＣＰＵ１０に伝送し、ＣＰＵ１０が、操作装置２が開状態、第１傾動状態または第２傾動状態であることを検出する。判定手段は、センサ５０およびＣＰＵ１０によって構成される。
【００７０】
複数のボタン操作手段２２Ａが、操作装置筐体２１のＸ１方向一表面部２１ａに設けられている。複数のボタン操作手段２２Ａは、実施の第１の形態のボタン操作手段２２と同種のボタン操作手段が含まれている。各ボタン操作手段２２Ａは、Ｚ１方向他端部に設けられ、その一部が操作装置筐体２１のＸ１方向一表面部２１ａの前記Ｚ１方向他端部からＺ１方向外方に突出している。各ボタン操作手段２２Ａは、Ｘ１方向一方およびＺ１方向一方に押圧可能に構成されている。Ｘ１方向一方とは、操作装置筐体２１のＸ１方向一表面部２１ａから他表面部に向かう方向であり、Ｚ１方向一方とは、操作装置筐体２１のＺ１方向他端部からＺ１方向一端部に向かう方向であり、各ボタン操作手段２２Ａが突出する方向である。ボタン操作手段２２Ａは、Ｘ１方向一方またはＺ１方向一方に押圧されると、インターフェイス部９を介して、電気信号をＣＰＵ１０に伝送する。ＣＰＵ１０は、各ボタン操作手段２２に関連付けられている構成部に電気信号を伝送し駆動させる。
【００７１】
以下にボタン操作手段２２Ａの構成の一例を示す。ボタン操作手段２２Ａは、ボタン操作部とエンコーダとを含む。ボタン操作部は、Ｚ１方向他端部に設けられ、その一部が操作装置筐体２１のＸ１方向一表面部２１ａの前記Ｚ１方向他端部からＺ１方向外方に突出している。Ｘ１方向一方およびＺ１方向一方に押圧可能に、かつ操作装置筐体２１に対して相対変位に構成されている。ボタン操作部のＸ１方向一方側の端部およびＺ１方向一方側の端部には、インターフェイス部９に電気的に接続されるスイッチング素子がそれぞれ配設されている。ボタン操作部がＸ１方向一方またはＺ１方向一方に押圧されると、前記スイッチング素子からインターフェイス部９を介してＣＰＵ１０に電気信号が伝送される。これによってＣＰＵ１０は、ボタン操作手段２２Ａが操作されたか否かを検出し、操作されたことを検出すると、各ボタン操作手段２２に関連付けられている構成部に電気信号を伝送し駆動させる。
【００７２】
ロータリ操作手段２３Ａは、ロータリ操作部３３Ａとエンコーダ３４Ａとを有する。ロータリ操作部３３Ａは、大略的には、実施の第１の形態のロータリ操作部３３と構成が類似し、ロータリ操作部３３ＡをＺ１方向に押圧可能、かつ相対変位可能な点が異なる。ロータリ操作部３３Ａは、実施の第１の形態のロータリ操作部３３と同様に回動軸線Ｌ２まわりに回動可能に設けられ、さらにＺ１方向に押圧可能に、かつＺ１方向他方に相対変位可能に操作装置筐体２１に設けられている。具体的には、ロータリ操作部３３Ａは、Ｘ１方向平面視において、操作装置筐体２１のＸ１方向一表面部２１ａからＺ１方向外方、具体的にはＺ１方向一方に向かって突出している。ロータリ操作部３３Ａは、Ｚ１方向他方に押圧可能にかつ操作装置筐体２１に対して相対変位可能に構成されて、操作装置筐体２１に設けられている。
【００７３】
ロータリ操作部３３には、ロータリエンコーダ３４が設けられている。ロータリエンコーダ３４は、インターフェイス部９に電気的に接続されている。エンコーダ３４Ａは、実施の第１の形態のロータリエンコーダ３４と同様に、ロータリ操作部３３ＡのＡ１方向およびＡ２方向の回動を検出し、前記検出される回動方向に応じて、第１制御信号および第２制御信号のいずれかを伝送する機能を有する。
【００７４】
さらにエンコーダ３４Ａは、ロータリ操作部３３Ａの操作装置筐体２１に対するＺ１方向の相対変位を検出する機能を有する。エンコーダ３４Ａは、前記ロータリ操作部３３ＡをＺ１方向の相対変位を検出すると、インターフェイス部９を介して、ＣＰＵ１０に第３制御信号が伝送される。本実施の形態では、ＣＰＵ１０は、エンコーダ３４Ａから第３制御信号が伝送されると、スピーカ４０から出力される音を停止するようにスピーカ駆動回路４１を制御する。
【００７５】
以下では、ナビ１Ａの動作について説明する。まず操作装置２の傾動動作について説明する。操作装置２が閉状態のとき、開ボタン２２ａがＸ１方向一方に向かい、突起片５１が押圧されている。この開ボタン２２ａを操作すると、開動作処理が開始する。開ボタン２２ａが操作されると、開ボタン２２ａからＣＰＵ１０に電気信号が伝送される。ＣＰＵ１０は、この電気信号を受信すると、操作装置駆動回路２５に電気信号を伝送し、操作装置傾動機構２４の操作装置モータ２４ａを回動させて、操作装置２を開状態にする。開状態にすると、開動作処理が終了する。このとき突起片５１が押圧力から開放され、Ｘ１方向一方に突出する。これによってセンサ５０からＣＰＵ１０に電気信号が伝送され、ＣＰＵ１０は、開状態であることを検出する。また閉ボタン６０ｂなどを操作し操作装置２が閉状態に傾動すると、突起片５１がＸ方向他方に押圧されて相対変位する。これによってセンサ５０からＣＰＵ１０に電気信号が伝送され、ＣＰＵ１０は、閉状態であることを検出する。
【００７６】
傾動処理およびロータリ操作部２３を操作したときのＣＰＵ１０の処理動作は、実施の第１の形態と同様のフローであるので、その説明を省略する。
【００７７】
本実施の形態のナビ１Ａによれば、ロータリ操作部３３を突出する方向と反対の方向に押圧することによって、制御回路３６に第３制御信号を伝送することができる。これによってロータリ操作部３３の状態に関わらず、ロータリ操作部３３を押圧することができ、第３制御信号を制御回路３６に伝送することができ、利便性が高い。
【００７８】
また本実施の形態のナビ１Ａによれば、ボタン操作部２２Ａが突出しているので、ロータリ操作部３３Ａと同様に、操作装置２が閉状態であっても、操作することができる。したがって操作装置２の状態に関わらず、操作することができ、使用者は容易に操作することができる。
【００７９】
本実施の形態のナビ１Ａによれば、実施の第１の形態のナビ１と同様の効果を奏する。
本実施の形態では、ロータリ操作部３３をＡ１方向に回動させると、スピーカ４０の音量を上がり、ロータリ操作部３３をＡ２方向に回動させると、スピーカ４０の音量が下がるけれども、逆の構成であってもよい。つまりロータリ操作部３３をＡ２方向に回動させると、スピーカ４０の音量を上がり、ロータリ操作部３３をＡ１方向に回動させると、スピーカ４０の音量が下がるように構成してもよい。
【００８０】
図１３は、本発明の実施の第３の形態であるナビゲーションシステム１Ｂを示す斜視図である。図１４は、操作装置２を簡略化して示す斜視図である。図１５は、操作装置２を簡略化して示す断面図である。図１３では、理解を容易にするために、操作装置２とナビ筐体４の枠体１８のみを示し、ナビ本体３の一部を省略している。実施の第３の形態のナビ１Ｂは、実施の第１の形態のナビ１と構成が類似している。したがってナビ１Ｂの構成については、実施の第１の形態のナビ１と異なる点についてだけ説明し、同一の構成については同一の符号を付してその説明を省略する。
【００８１】
本実施の形態の操作装置２には、実施の第１の形態のロータリ操作手段２３に代えて、操作手段であるロータリ操作手段２３Ｂが設けられる。ロータリ操作手段２３Ｂは、第１操作手段である第１ロータリ操作部７１と、第２操作手段である第２ロータリ操作部７２と、ロータリエンコーダ３４とを含む。第１および第２ロータリ操作部７１，７２の構成は、実施の第１の形態のロータリ操作部３３と同様である。
【００８２】
第１ロータリ操作部７１は、大略的に円板状に形成され、操作装置筐体２１のＸ１方向一表面部に、該一表面部を基準にして回動軸線まわり一方向および他方向に回動可能に設けられている。第２ロータリ操作部７２は、大略的に円板状に形成され、操作装置筐体２１のＸ１方向他表面部に、該他表面部を基準にして回動軸線まわり一方向および他方向に回動可能に設けられている。前記回動軸線まわり一方向は、図１および図２において時計回りの方向であり、以下「Ａ１方向」と称する場合がある。また前記回動軸線まわり他方向は、図１および図２において反時計回りの方向であり、以下「Ａ２方向」と称する場合がある。回動軸線は、操作装置筐体２１のＸ１方向に平行な軸線である。
【００８３】
また第１および第２ロータリ操作部７１，７２は、操作装置筐体２１のＺ１方向中央部で、かつＹ１方向中央部とＹ１方向他端部との中間部に設けられているが、第１および第２ロータリ操作部７１，７２の配設位置はこれに限定されるものではない。
【００８４】
第１ロータリ操作部７１および第２ロータリ操作部７２は、ロータリエンコーダ３４にそれぞれ接続されている。ロータリエンコーダ３４は、第１および第２ロータリ操作部７１，７２のＡ１方向およびＡ２方向の回動を検出する機能を有している。ロータリエンコーダ３４は、操作装置筐体２１のＸ１方向一表面部が露出する非収容位置に操作装置２が位置している状態、換言すれば開状態のときに、第１ロータリ操作部７１のＡ１方向の回動を検出するか、または操作装置筐体２１のＸ１方向一表面部と表示部５とが臨む収容位置に操作装置２が位置している状態、換言すれば閉状態のときに、第２ロータリ操作部７２のＡ１方向の回動を検出すると、インターフェイス部９を介して、第１制御信号をＣＰＵ１０に伝送する。またロータリエンコーダ３４は、操作装置筐体２１のＸ１方向一表面部が露出する非収容位置に操作装置２が位置している状態、換言すれば開状態のときに、第１ロータリ操作部７１のＡ２方向の回動を検出するか、または操作装置筐体２１のＸ１方向一表面部と表示部５とが臨む収容位置に操作装置２が位置している状態、換言すれば閉状態のときに、第２ロータリ操作部７２のＡ２方向の回動を検出すると、インターフェイス部９を介して、第２制御信号をＣＰＵ１０に伝送する。本実施の形態では、ロータリ操作手段２３Ｂは、実施の第１の形態のロータリ操作手段２３と同様に、ボリュームを制御させるためのボリュームスイッチであり、第１または第２ロータリ操作部７１，７２を回動させることによって、音量を大きくまたは小さくすることができる。
【００８５】
なお、ロータリ操作手段２３Ｂを操作したときのＣＰＵ１０の処理動作は、実施の第１の形態のステップｓ２でロータリ操作部３３がＡ１方向に角変位されているか否かの判定の代わりに、第１ロータリ操作部７１がＡ１方向に回動されているか否か、または第２ロータリ操作部７２がＡ１方向に回動されているか否かを判定し、ステップｓ５でロータリ操作部３３がＡ２方向に角変位されているか否かの判定の代わりに、第１ロータリ操作部７１がＡ２方向に回動されているか否か、または第２ロータリ操作部７２がＡ２方向に回動されているか否かを判定しているに過ぎないため、説明は省略する。
【００８６】
本実施の形態では、操作装置２が閉状態のとき、操作装置筐体２１のＸ１方向他表面部に設けられる第２ロータリ操作部７２を操作することによって、ボリュームを制御できるように構成されている。また本実施の形態では、操作装置２が開状態のとき、操作装置筐体２１のＸ１方向一表面部に設けられる第１ロータリ操作部７１を操作することによって、ボリュームを制御できるように構成されている。
【００８７】
前述のように、本実施の形態のナビ１Ｂによれば、操作装置筐体２１のＸ１方向一表面部に第１ロータリ操作部７１が設けられ、操作装置筐体２１のＸ１方向他表面部に第２ロータリ操作部７２が設けられる。したがって、操作装置２が収容位置に位置している閉状態および操作装置２が非収容位置に位置している開状態のいずれの状態であっても、使用者は、第１ロータリ操作部７１または第２ロータリ操作部７２を操作することができ、操作装置２の位置に関わらず、第１または第２ロータリ操作部７１，７２を操作することができる利便性の高いナビ１Ｂを実現できる。
【００８８】
本実施の形態のナビ１Ｂによれば、操作装置２を電子機器本体に対して角変位させることによって折り畳む（閉状態とする）ことができる。ＣＰＵ１０は、操作装置２が折り畳まれている状態（閉状態）か広げられている状態（開状態）かを判定する。ＣＰＵ１０が、操作装置２が電子機器本体に対して折り畳まれている状態（閉状態）と判定した場合、回動軸線Ｌ２まわり一方向に第２ロータリ操作部７２を回動させると、第１制御信号が制御回路３６に伝送され、制御回路３６が第１制御状態に切換わりスピーカ４０の音量を上げ、他方向に回動させると、第２制御信号が制御回路３６に伝送され、制御回路３６が第２制御状態に切換わりスピーカ４０の音量を下げる。
【００８９】
ＣＰＵ１０が、操作装置２が電子機器本体に対して広げられている状態（開状態）と判定した場合、回動軸線Ｌ２まわり一方向に第１ロータリ操作部７１を回動させると、第１制御信号が制御回路３６に伝送され、制御回路３６が第１制御状態に切換わりスピーカ４０の音量を上げ、他方向に回動させると、第２制御信号が制御回路３６に伝送され、制御回路３６が第２制御状態に切換わり、スピーカ４０の音量を下げる。
【００９０】
これによって操作装置２が電子機器本体に対して折り畳まれている状態（閉状態）および広げられている状態（開状態）のいずれの状態であっても、使用者が第１ロータリ操作部７１または第２ロータリ操作部７２を回動軸線Ｌ２まわり一方向に回動させると、スピーカ４０の音量を上げることができ、回動軸線Ｌ２まわり他方向に回動させると、スピーカ４０の音量を下げることができる。したがってスピーカ４０の音量を上げるまたは下げる場合、操作装置２の状態に合わせて回動させる方向を考える必要がなく、使用者が容易に操作できる。
【００９１】
本実施の形態のナビ１Ｂによれば、実施の第１の形態のナビ１と同様の効果を奏する。
なお、第１ロータリ操作部７１、またはロータリ操作手段２３を操作装置２の一表面部側からＸ１方向一方側（第１ロータリ操作部７１が設けられている側）に付勢し、操作装置２が開状態のとき、第１ロータリ操作部７１を操作装置２の一表面部側から突出させ、操作装置２が閉状態のとき、第１ロータリ操作部７１が表示部５により押圧されることによって、第２ロータリ操作部７２が操作装置２の一表面部の反対側の他表面部側（第２ロータリ操作部７２が設けられている側）から突出するような構成にすると、第１および第２ロータリ操作部７１，７２が操作される側が突出するので、使用者が容易に操作できる。このような場合、第１ロータリ操作部７１が表示部５に接触するため、第１ロータリ操作部７１の表示部５に接触する表面には、表示部５の表面が傷つかないような処理を施す必要がある。
【００９２】
また、このような構成の場合、第１ロータリ操作部７１、またはロータリエンコーダ３４の移動を検出して操作装置２の開閉状態を検出するようにしてもよい。
【００９３】
さらに、操作装置２の開閉状態を検出する手段として、実施の第２の形態のようにセンサ５０を設けてもよい。
【００９４】
図１６は、本発明の実施の第４の形態であるナビゲーションシステム１Ｃを示す斜視図である。図１６では、理解を容易にするために、操作装置２とナビ筐体４の枠体１８のみを示し、ナビ本体３の一部を省略している。実施の第４の形態のナビ１Ｃは、実施の第３の形態のナビ１Ｂと構成が類似している。したがってナビ１Ｃの構成については、実施の第３の形態のナビ１Ｂと異なる点についてだけ説明し、同一の構成については同一の符号を付してその説明を省略する。
【００９５】
本実施の形態の操作装置２は、図１３に示す実施の第３の形態のナビ１Ｂと同様に、操作装置筐体２１のＸ１方向一表面部に第１ロータリ操作部７１が設けられ、操作装置筐体２１のＸ１方向他表面部に第２ロータリ操作部７２が設けられている。
【００９６】
本実施の形態の第２ロータリ操作部７２は、大略的に円柱状に形成される。本実施の形態では、操作装置２が電子機器本体に対して折り畳まれて収容位置に位置している状態、換言すれば閉状態のとき、第２ロータリ操作部７２が使用者によって図１５に示すＸ１方向他方（ナビ筐体４に近接する方向）に押圧されると、第２ロータリ操作部７２は、操作装置筐体２１のＸ１方向他表面部からＸ１方向一方（ナビ筐体４から離反する方向）に突出するようになっている。また第２ロータリ操作部７２が、操作装置筐体２１のＸ１方向他表面部からＸ１方向一方に突出しているとき、第２ロータリ操作部７２が使用者によってＸ１方向他方に押圧されると、第２ロータリ操作部７２は、操作装置筐体２１のＸ１方向他表面部の元の設置位置に退避するようになっている。
【００９７】
本実施の形態では、第２ロータリ操作部７２が、使用者によってＸ１方向他方に押圧されて、操作装置筐体２１のＸ１方向他表面部からＸ１方向一方に突出しているとき、使用者が、Ｘ１方向一方に突出した第２ロータリ操作部７２の側面部７２ａを把持して、第２ロータリ操作部７２を回動軸線まわり一方向または他方向に回動させる操作をすることによって、ボリュームを制御できるように構成されている。
【００９８】
なお、ロータリ操作手段２３Ｂを操作したときのＣＰＵ１０の処理動作は、実施の第３の形態と同様であるため、説明は省略する。
【００９９】
前述のように、本実施の形態のナビ１Ｃによれば、操作装置２が収容位置に位置する閉状態のとき、第２ロータリ操作部７２が、使用者によって押圧されると、Ｘ１方向一方に突出するように構成されるので、使用者は、Ｘ１方向一方に突出した第２ロータリ操作部７２の側面部７２ａを把持することができる。したがって、第２ロータリ操作部７２が操作装置筐体２１のＸ１方向他表面部に設けられている状態で第２ロータリ操作部７２を操作する前述の実施の第３の形態よりも、第２ロータリ操作部７２を容易に操作することができる。これによって、第２ロータリ操作部７２の操作性の高いナビ１Ｃを実現できる。
【０１００】
本実施の形態のナビ１Ｃによれば、実施の第３の形態のナビ１Ｂと同様の効果を奏する。
【０１０１】
また前述の実施の各形態では、ロータリ操作手段２３は、ボリュームを制御させるためのスイッチであるけれども、これに限定されず、早送りおよび巻戻しを制御させるためのスイッチであってもよい。このような構成である場合、たとえば第１制御状態では、ＣＤまたはＤＶＤなどの記録媒体に記録される音楽または動画を再生する際、前記音楽または動画を早送りするように再生部８を制御する。第２制御状態では、前記音楽または動画を再生する際、前記音楽または動画を巻戻すように再生部８を制御する。さらにロータリ操作手段２３によって、前記アイコン２０の選択を切換可能に構成してもよいし、ラジオ放送およびテレビジョン放送のチャンネル切換が行える構成にしてもよい。
【０１０２】
また前述の実施の各形態では、ナビゲーションシステムについて説明しているけれども、このような電子機器に限定されない。たとえばオーディオ機器、テレビジョン受信装置およびパーソナルコンピュータであってもよく、電子機器に備えられている電子機器を操作するための操作手段を有するものであればよい。特に車載用のオーディオであれば、ナビゲーションシステムと同様の課題があり、ナビゲーションシステムの場合と同様の効果を奏する。
【０１０３】
前述の実施の第１の形態のナビ１では、操作装置２が連結部２７に対して軸線Ｌ１まわりに回動に構成されているけれども、必ずしもこのような構成に限定されない。たとえば、操作装置２が操作装置傾動機構２４で筐体本体１７内に収納可能に構成してもよい。この場合、筐体本体１７に操作装置２が収納される収容位置で、ロータリ操作部３３の一部がＸ方向一方に突出していればよく、またボタン操作手段２２Ａも、その一部がＸ方向一方に突出していればよい。
【０１０４】
また前述の実施の各形態では、ロータリ操作部３３，３３Ａおよびボタン操作手段２２ＡがＺ１方向外方に突出しているけれども、この方向に限定されない。たとえばＹ１方向でもよく、その突出方向は、Ｘ１方向に垂直な仮想平面上に含まれる方向であればどの方向であってもよい。
【０１０５】
また前述の実施の第１の形態では、ナビ本体３のＣＰＵ１０は、操作装置２のセンサ２６から伝送される信号に基づいて、操作装置２が開状態か閉状態かを判断し、その後ロータリエンコーダ３４から伝送される制御信号に基づいて、スピーカ駆動回路４１の制御状態を切換えるように構成されているけれども、このような構成に限定されない。たとえば、操作装置２が、ナビ本体３のＣＰＵ１０に、スピーカ駆動回路４１の制御状態を切換える制御信号（以下「制御状態切換信号」という）を与え、ＣＰＵ１０が操作装置２から与えられる制御状態切換信号に基づいて、スピーカ駆動回路４１の制御状態を切換えるように構成されてもよい。
【０１０６】
さらに、前述の実施の各形態では、ＣＰＵ１０で操作装置２の開閉状態を検出しているが、操作装置２内で開閉状態を検出し、制御回路３６に出力する制御信号を切換えるようにしてもよい。
【図面の簡単な説明】
【０１０７】
【図１】本発明の実施の第１の形態であるナビゲーションシステム１の閉状態を示す正面図である。
【図２】ナビゲーションシステム１の開状態を示す正面図である。
【図３】ナビゲーションシステム１の電気的構成を示すブロック図である。
【図４】操作装置２を示す斜視図である。
【図５】操作装置２の内部を示す斜視図である。
【図６】操作装置２の各状態を示す側面図である。
【図７】チルトモードにおけるパネル操作部１６に表示される画像を示す図である。
【図８】ロータリ操作部２３を操作したときのＣＰＵ１０の処理動作を示すフローチャートである。
【図９】本発明の実施の第２の形態であるナビゲーションシステム１Ａの閉状態を示す正面図である。
【図１０】ナビゲーションシステム１Ａの開状態を示す正面図である。
【図１１】ナビゲーションシステム１Ａの電気的構成を示すブロック図である。
【図１２】操作装置２の各状態を示す側面図である。
【図１３】本発明の実施の第３の形態であるナビゲーションシステム１Ｂを示す斜視図である。
【図１４】操作装置２を簡略化して示す斜視図である。
【図１５】操作装置２を簡略化して示す断面図である。
【図１６】本発明の実施の第４の形態であるナビゲーションシステム１Ｃを示す斜視図である。
【符号の説明】
【０１０８】
１，１Ａ，１Ｂ，１Ｃ  ナビゲーションシステム
２  操作装置
３  ナビ本体
２１  操作装置筐体
２２  ボタン操作手段
２３，２３Ａ，２３Ｂ  ロータリ操作手段
２４  操作装置傾動機構
２６  センサ
３６  制御回路
７１  第１ロータリ操作部
７２  第２ロータリ操作部
【図１】
2007302229.tif 000003
【図２】
2007302229.tif 000004
【図３】
2007302229.tif 000005
【図４】
2007302229.tif 000006
【図５】
2007302229.tif 000007
【図６】
2007302229.tif 000008
【図７】
2007302229.tif 000009
【図８】
2007302229.tif 000010
【図９】
2007302229.tif 000011
【図１０】
2007302229.tif 000012
【図１１】
2007302229.tif 000013
【図１２】
2007302229.tif 000014
【図１３】
2007302229.tif 000015
【図１４】
2007302229.tif 000016
【図１５】
2007302229.tif 000017
【図１６】
2007302229.tif 000018